(57)【要約】  【課題】  著作権保護されたデータを装置内で確実に移動可能な記録再生装置を提供する。  【解決手段】  著作権保護されたデータの移動時、移動元の記録部または該記録部に装着された記録媒体に記録されていた識別データを、装置内で移動させて保持する。記録媒体の交換後は、該保持された識別データを該交換された新しい記録媒体に記録する。また、識別データは、装置外部からユーザがアクセスできない特定の領域内に記録する。【選択図】  図１Ｂ
2007250154.tif 000002
【特許請求の範囲】
【請求項１】
データの記録または再生を行う記録再生装置であって、
データを記録する第１、第２の記録部と、
データの暗号化処理を行う暗号処理部と、
上記第１、第２の記録部及び上記暗号処理部を制御し、該第１の記録部に記録されたデータまたは該第１の記録部に装着された第１の記録媒体に記録されたデータを、該第２の記録部にまたは該第２の記録部に装着された第２の記録媒体に移動させるとき、該第１の記録部または該第１の記録媒体に記録された識別データを、当該記録再生装置内で該第１の記録部または該第１の記録媒体から移動させて保持させる制御部と、
を備えたことを特徴とする記録再生装置。
【請求項２】
上記暗号処理部は、上記第１の記録部に記録されるデータ及びその識別データまたは上記第１の記録媒体に記録されるデータ及びその識別データを暗号化し、上記データの移動時に、該第１の記録部または該第１の記録媒体から移動した識別データを保持する構成である請求項１に記載の記録再生装置。
【請求項３】
上記第１の記録部または上記第１の記録媒体に記録されるデータは、暗号化コンテンツ及び該コンテンツが暗号化された暗号化鍵として該第１の記録部または該第１の記録媒体に記録される請求項１に記載の記録再生装置。
【請求項４】
上記制御部は、上記データの移動が完了した時点で、上記第１の記録部または上記第１の記録媒体から上記識別データを消去する構成である請求項１に記載の記録再生装置。
【請求項５】
上記識別データは、上記第１の記録部または上記第１の記録媒体の特定の領域内に記録され、該特定の領域は、上記制御部からはアクセス可能であり、装置外部からはアクセス不可能である請求項１に記載の記録再生装置。
【請求項６】
上記第１の記録部は光ディスク装置であり、上記第２の記録部は、ハードディスク装置である請求項１に記載の記録再生装置。
【請求項７】
上記識別データは、当該記録再生装置により独自に生成される乱数データである請求項１に記載の記録再生装置。
【請求項８】
上記制御部は、上記第１の記録部から上記第２の記録部に上記データを移動させるとき、該データをダウンコンバートして移動させる構成である請求項１に記載の記録再生装置。
【請求項９】
上記制御部は、上記第１の記録部に装着された第１の記録媒体が上記データの移動後に交換されたとき、上記識別データを、該交換後の記録媒体に移動させて記録させる請求項１に記載の記録再生装置。
【請求項１０】
上記第１の記録部または上記第２の記録部は、メモリカード装置である請求項１に記載の記録再生装置。
【請求項１１】
上記制御部は、上記第１の記録部に装着された第１の記録媒体が上記データの移動後に交換されたとき、上記データをダウンコンバートして、該交換後の記録媒体に移動させて記録させる請求項１に記載の記録再生装置。
【発明の詳細な説明】
【技術分野】
【０００１】
本発明は著作権保護されたコンテンツデータを扱う記録再生装置におけるデータ移動技術に関する。
【背景技術】
【０００２】
著作権保護されたデータの移動に関する従来技術としては、例えば、特開２００３−１０１５２９号公報（特許文献１）や特開２００５-３２２２９７号公報（特許文献２）に記載されたものがある。特開２００３−１０１５２９号公報には、コンテンツ移動の際、コンテンツをブロックに分割し、生成される時変鍵を使用してコンテンツの暗号化・復号化のためのタイトル鍵の更新を行い、移動が完了したコンテンツを削除するとした技術が記載され、特開２００５-３２２２９７号公報には、著作権保護されたＨＤコンテンツをＳＤコンテンツにダウンコンバートして移動する際、元のＨＤコンテンツをスクランブル処理してから、コンテンツ移動を実行するとした技術が記載されている。
【０００３】
【特許文献１】特開２００３−１０１５２９号公報
【特許文献２】特開２００５-３２２２９７号公報
【発明の開示】
【発明が解決しようとする課題】
【０００４】
上記従来技術は著作権保護されたデータを他の装置に移動する際に、確実に移動を行うことが目的であるが、確実にコンテンツの移動を行うための記録装置特有の識別子の利用に関しては考慮されていなかった。
今回論点としている番組コンテンツの移動動作は一般ユーザが、デジタル放送等の番組コンテンツを録画し、それを光ディスク等のメディアに移動する場合、番組コンテンツが著作権保護されている場合は、光ディスクへの移動が許可されている場合でも元の録画データは移動の際に消去する必要がある。
今後、ＨＤ記録可能な青色レーザ系光ディスクでは、著作権保護の規格としてＡＡＣＳ（Ａｄｖａｎｃｅｄ  Ａｃｃｅｓｓ  Ｃｏｎｔｅｎｔ  Ｓｙｓｔｅｍ）が採用される見通しであるが、移動の処理を行う場合は、同様に元のコンテンツを削除することが規定されている。
さらにＡＡＣＳでは、光ディスクドライブ装置ではアクセス可能で、かつユーザからはアクセス不可能となるディスクの特定領域に乱数によるメディアの識別データ（Ｂｉｎｄｉｎｇ  Ｎｏｎｃｅ）を書き込み、コンテンツの移動時にその乱数を基に暗号鍵を生成し、その暗号鍵を使用して、コンテンツを暗号化しているタイトル鍵を復号する。さらに移動先のメディア上で使用するために別途生成する乱数により新しい識別データを作成し、復号化したタイトル鍵を新しい識別データを基にした暗号鍵で暗号化して移動先のメディア上に移動する。
ＡＡＣＳの仕様では、この移動処理の際に、新しい識別データで古い識別データを上書きするか、古い識別データを変更することが規定されている。これにより、移動時に確実に元のメディア上でのコンテンツの再生が不能となり、移動処理が確実に実施される。
【０００５】
しかしながら、従来のハードディスクレコーダにおいては、光ディスクドライブとハードディスクドライブがそれぞれ1台しか搭載されておらず、ＡＡＣＳ規格に記載されているような光ディスク同士の移動を確実にかつ、画質のダウングレードまで含めて対応することは考慮されていなかった。また、ＡＡＣＳ規格においても、このような光ディスクドライブ1台の場合のダウングレードまで含む移動処理に関しては明確に規定されておらず、移動途中での装置特有の識別子、コンテンツ及び暗号化鍵の処理、保持方法に関しては考慮されていない。
【０００６】
本発明の課題点は、上記従来技術の状況に鑑み、記録再生装置において、著作権保護されたデータを一方の記録部から他方の記録部に移動するとき、例えば光ディスクドライブが１台であってかつダウンコンバートを伴うような場合でも、確実に移動を行えるようにすることである。
本発明の目的は、かかる課題点を解決して、使い勝手性の良い記録再生装置を提供することにある。
【課題を解決するための手段】
【０００７】
上記課題点を解決するために、本発明では、記録再生装置において、著作権保護されたデータの移動時に、移動元の記録部または該記録部に装着された記録媒体に記録されていた識別データを、装置内で移動させて保持する構成とする。また、記録媒体の交換後は、該保持された識別データが該交換された新しい記録媒体に記録される構成とする。これによって、光ディスクドライブが１台でかつダウンコンバートを伴うような場合でも、確実にコンテンツの移動が可能となる。また、該識別データは、装置外部からユーザがアクセスできない特定の領域内に記録されるため、著作権は保護される。
【発明の効果】
【０００８】
本発明によれば、記録再生装置において、例えば光ディスクドライブが１台でかつダウンコンバートを伴うような場合であっても、著作権保護されたコンテンツデータの装置内での確実な移動が可能となる。
【発明を実施するための最良の形態】
【０００９】
以下、本発明の実施例につき、図面を用いて説明する。
図1Ａ、図１Ｂ及び図１Ｃは、本発明の実施例としての記録再生装置の構成例図である。
図１Ａにおいて、１０１は、本発明の実施例としての記録再生装置、１０２は、記録再生装置１０１内における第１の記録部としての光ディスク装置、１０３は、光ディスク装置１０２に装着される光ディスク、１０４は、光ディスク１０３上の、ユーザからはアクセス不可能で記録再生装置１０１からはアクセス可能な保護領域、１０５は、識別データ（識別子）として記録される乱数ａ、１０６は、コンテンツデータが記録される光ディスク１０３上のコンテンツデータ領域、１０７は、コンテンツデータ領域１０６内の暗号化コンテンツａ、１０９は、コンテンツデータ領域１０６内の暗号化コンテンツｂ、１１１は、コンテンツデータ領域１０６内の暗号化コンテンツｃ、１０８は、暗号化コンテンツａを暗号化した暗号化鍵ａ、１１０は、暗号化コンテンツｂを暗号化した暗号化鍵ｂ、１１２は、暗号化コンテンツｃを暗号化した暗号化鍵ｃ、１１３は、記録再生装置１０１内の第２の記録部としてのハードディスク装置、１１５は、暗号化処理を行う暗号処理部、１１４は、光ディスク装置１０２、ハードディスク装置１１３及び暗号処理部１１５を制御する制御部である。また、図１Ｂにおいて、１１６は、移動時に新規に記録再生装置１０１が発生した識別データとしての乱数ｂ、図１Ｃにおいて、１１７は、移動先の新しい光ディスク、１１８は、新しい光ディスク１１７上の保護領域、１１９は、移動後のコンテンツデータが記録されるコンテンツデータ領域、１２０は、移動時に再暗号化されたコンテンツ、１２１は、暗号化コンテンツ１２０を暗号化した暗号化鍵ｄである。
【００１０】
図１Ｂに示すように、制御部１１４が、コンテンツデータ領域１０６内の暗号化コンテンツａ１０７の移動を指示されると、該制御部１１４による制御により、保護領域１０４上の識別データとしての乱数ａ１０５が暗号処理部１１５に保持され、新規の乱数ｂ１１６が発生される。そして、制御部１１４による制御により、光ディスク１０３上の保護領域１０４が、乱数ａ１０５から乱数ｂ１１６に上書きされ、さらに、移動される暗号化コンテンツａ１０７及び暗号化鍵ａ１０８は、ハードディスク装置１１３に移動される。
暗号化コンテンツａ１０７及び暗号化鍵ａ１０８のハードディスク装置１１３への移動が完了した時点で、制御部１１４は、光ディスク１０３上のコンテンツデータ領域１０６から、上記ハードディスク装置１１３へ移動した暗号化コンテンツａ１０７及び暗号化鍵ａ１０８を削除する。
【００１１】
図１Ｃに示すように、光ディスク装置１０２に、コンテンツを移動するための新しい光ディスク１１７が装着されると、制御部１１４による制御により、その保護領域１１８に乱数ｂ１１６を記録する。さらに、制御部１１４による制御により、ハードディスク装置１１３内に保持していた暗号化コンテンツａ１０７及び暗号化鍵ａ１０８を再暗号化した暗号化コンテンツｄ１２０及び暗号化鍵ｄ１２１をコンテンツデータ領域１１９に記録して移動動作を完了する。また、この移動の際に、制御部１１４により、データのダウンコンバートとして、例えば、移動する画像データの解像度をＨＤ（Ｈｉｇｈ  Ｄｅｆｉｎｉｔｉｏｎ）（高解像度）からＳＤ（Ｓｔａｎｄａｒｄ  Ｄｅｆｉｎｉｔｉｏｎ）（標準解像度）に変換することも可能である。これは、例えば、レコーダ内で、移動したコンテンツの履歴を保持する機能を搭載した場合でも、元のコンテンツを、識別データとしての乱数で管理することができるため、ユーザの利便性を高めることができる。また、実際のダウンコンバートは、装着された記録媒体の種別を判断してから実施することにより、間違った記録媒体への記録を防止することも可能となる。
以下、説明中で用いる図１Ａ、図１Ｂ及び図１Ｃの記録再生装置１０１の構成要素には、該図１Ａ、図１Ｂ、図１Ｃの場合と同じ符号を付して用いる。
【００１２】
図２は、上記図１Ａ、図１Ｂ及び図１Ｃの記録再生装置１０１の動作の説明図、及び、光ディスク上のデータ構成の説明図である。図１Ａ、図１Ｂ、図１Ｃの場合と同じ部分には、図１Ａ、図１Ｂ、図１Ｃの場合と同じ符号を付す。
図２（ａ）は、図１Ａ、図１Ｂ及び図１Ｃの記録再生装置１０１における著作権保護されたコンテンツデータの移動処理の流れを示す図である。図２（ａ）において、２０１は、移動対象となるコンテンツに固有のメディア鍵、２０２は、乱数ａ１０５をメディア鍵２０１で暗号化して生成される領域鍵ａ、２０３は、暗号化鍵ａ１０８を復号化して生成されるタイトル鍵、２０４は、乱数ｂ１１６を上記メディア鍵２０１で暗号化した領域鍵ｂである。図２（ａ）に示すように、制御部１１４による制御により、暗号処理部１１５が、光ディスク１０３特有のメディア鍵２０１により乱数ａ１０５を暗号化し、領域鍵ａ２０２を生成する（矢印Ａ）。さらに、制御部１１４は、上記領域鍵ａ２０２を使用して暗号化鍵ａ１０８を復号化する（矢印Ｂ）。さらに、制御部１１４は、移動後のコンテンツの識別用に新たに乱数ｂ１１６を生成し、制御部１１４による制御により、暗号処理部１１５がメディア鍵２０１により暗号化を行い、領域鍵ｂ２０４を生成する（矢印Ｃ）。そして、復号化した上記タイトル鍵２０３を上記領域鍵ｂ２０４により暗号化し、暗号化鍵ｄ２０６を生成する。乱数ａ１０５は、例えば装置に特有の装置鍵（図示せず）等により暗号化し、乱数ａ１０５として処理され保存される（矢印Ｅ）。
【００１３】
図２（ｂ）は、光ディスク上のデータの構成を示す。図２（ｂ）に示すように、制御部１１４による制御により、光ディスク１０３上の保護領域１０６に記録された乱数ａ１０５が乱数ｂ１１６に更新され（矢印Ｆ）、さらに、移動対象の暗号化コンテンツａ１０７及び暗号化鍵ａ１０８が、移動先となる新しい光ディスク１１７上に、再暗号化されたコンテンツｄ１２０及び、暗号化鍵ｄ１２１として移動される（矢印Ｇ）。また、保護領域１１８に乱数ｂ１１６が記録される。
【００１４】
図３は、記録再生装置１０１に、第１の記録部としてメモリカード装置が存在する場合の例である。図１Ａ、図１Ｂ、図１Ｃの場合と同じ部分には、図１Ａ、図１Ｂ、図１Ｃの場合と同じ符号を付す。
図３において、４０１は、第１の記録部としてのメモリカード装置、４０２は、メモリカード装置４０１に装着されるメモリカード、４０３は、メモリカード４０２上の保護領域、４０４は、メモリカード４０２上のコンテンツデータ領域である。移動により再暗号化された暗号化コンテンツｄ１２０及び暗号化鍵ｄ１２１は、メモリカード４０２上のコンテンツデータ領域４０４に記録され、また、メモリカード４０２上の保護領域４０３は，例えば制御部１１４により記録再生装置１０１からはアクセス可能であるが、ユーザからはアクセス不可能となっている。該保護領域４０３には、移動用に新規に発生させた乱数ｂ１１６が記録される。図３の構成により、携帯端末等で多用されているメモリカードでも、ユーザの選択により希望のコンテンツを、ＨＤのままもしくはＳＤにダウンコンバートして移動させ、携帯して持ち歩くことが可能となる。また、識別データ（識別子）としての乱数を保持しているため、例えば録画した番組リストでのコンテンツの移動管理やコンテンツの再移動が可能となり、ユーザの利便性（使い勝手性）が向上する。
【００１５】
上記図１Ａ〜図３で説明した実施例によれば、記録再生装置１０１において、識別データが移動されるため、ダウンコンバートを伴う場合も含め、著作権保護されたコンテンツデータの装置内での確実な移動、すなわち著作権保護を行いつつデータ消失を防止した移動が可能となる。また、装置の使い勝手性が向上する。
【００１６】
なお、上記実施例では、データを、第１の記録部としての光ディスク装置１０２内に装着された記録媒体としての光ディスク１０３から、第２の記録部としてのハードディスク装置１１３内に移動させる場合や、第１の記録部としてのメモリカード装置４０１内に装着された記録媒体としてのメモリカード４０２から、第２の記録部としてのハードディスク装置１１３内に移動させる場合につき説明したが、この他、データは、第１の記録部のメモリから第２の記録部のメモリに移動させる構成や、第１の記録部のメモリから第２の記録部に装着された記録媒体に移動させる構成や、第１の記録部に装着された記録媒体から第２の記録部のメモリに移動させる構成であってもよい。また、光ディスクとしては、ＣＤ、ＤＶＤ、ＢＤ、ＨＤ−ＤＶＤなどであってもよい。
【図面の簡単な説明】
【００１７】
【図１Ａ】本発明の実施例としての記録再生装置の構成例図である。
【図１Ｂ】本発明の実施例としての記録再生装置の構成例図である。
【図１Ｃ】本発明の実施例としての記録再生装置の構成例図である。
【図２】本発明の実施例の動作及びデータ構成の説明図である。
【図３】本発明の実施例としての他の記録再生装置の構成例図である。
【符号の説明】
【００１８】
１０１…記録再生装置、
１０２…光ディスク装置、
１０３、１１７…光ディスク、
１０４、１１８…保護領域、
１０５、１１６…乱数、
１０６、１１９…コンテンツデータ領域、
１０７、１０９、１１１…暗号化コンテンツ、
１０８、１１０、１１２、１２１…暗号化鍵、
１１３…ハードディスク装置、
１１５…暗号処理部、
１１４…制御部、
２０１…メディア鍵、
２０２、２０４…領域鍵、
２０３…タイトル鍵、
４０１…メモリカード装置、
４０２…メモリカード、
４０３…メモリカードの保護領域、
４０４…メモリカードのコンテンツデータ領域。
【図１Ａ】
2007250154.tif 000003
【図１Ｂ】
2007250154.tif 000004
【図１Ｃ】
2007250154.tif 000005
【図２】
2007250154.tif 000006
【図３】
2007250154.tif 000007